(57)【要約】【課題】  山頂であろうと、未開の地であれ簡単に設置でき又、電気も燃料も水、風も必要としない、停電や地球温暖化にも無縁な水のいらない水車のような勝手に発電をもたらす継続的な高速回転をもたらす円形回転物が出来ないか研究模索した。【解決手段】  ピストン運動が可能な伸縮ゴム筒にほんの少し技術改良を加える事で大径や重量円形物に対し十分な2016217339.tif 000005が発電をもたらす十分な回転エネルギーへとなり又、回転の継続性を本体の回転を活用しその外部に小径の回転物を適位置に配し双方の外周部に磁力帯を同極対峠となるようにし外の円形物をより高速回転の反転運動を持たせる事で水のない水車ともいえ、普及が進めば世界レベルでの原発ゼロ化も視野に入れた安全で低費用ですむ自然科学にもとづいた開発品を提供する。【選択図】図１
2016217339.tif 000002
【特許請求の範囲】
【請求項１】
既設の伸縮ゴム筒ピストン運動を多少の技術改良を加える事による円形物への高速回転への促進効果
【請求項２】
その回転力の持続性、恒久性を持たせる為の本体、及び小径円形物の各外周部に配した同極対峠による磁力の反発作用を活用する事による本体円形物の高速回転運動の継続性
【発明の詳細な説明】
【技術分野】
【０００１】  本発明は水車形状の円形物（以下円形物）を円形物に対応できる様技術改良を施こしたピストン運動が可能な伸縮ゴム筒を用い一定の高速回転までの初動及び補助操作として活用し又、外部に円形物本体より小径の円形物の各外周部に同極対峠となる様磁石及び磁力帯を配する事による高速回転の永続運動を可能にする事による継続的に得られる発電効果をもたらす技術構築に関する。
【背景技術】
【０００２】  大型発電としては原子力利用、水力、火力、液体の運動エネルキーを利用し回転運動に変え蒸気や水を利用するタービン技術、あるいは風や太陽光の利用にての発電システム等多様化しているが原子力等災害時大きな危険を併ないタービン等も広大な用地と莫大な運用経費を要す、家庭用として普及しだした太陽光発電等もそれなりの費用もかかり送電がストップすれば無用に帰してしまう、電動モーターを利用した発電機も同様であり乾電池、手回しでも電気は得れる。
【特許文献１】特開２０１３−２３１４１７
【発明の開示】
【発明が解決しようとする課題】
【０００３】  こうした発電装置はインフラも整備された先進国が主であるが世界レベルで見ればインフラ環境もままならず電気のない生活を強いられている人々も多くいるのも事実で離島や僻地もしかりである、又大震災の折等重大な危険も想定される、又自然科学を十二分に活用した水車等安全かつ自然を利した秀でた発電法もありフランシス水車等は優れた技術性を感じさせるものだが立地条件が求められる為世界各所さまざまな必要とされる処に設置する訳にいかない、どうしたら安全で水も心要としない、又電気も燃料も必要としないどんな場所にも設置でき発電用具が出きないか研究模索した。
【課題を解決するための手段】
【０００４】  羽根状や円形物等での回転運動は高速であればある程そのエネルギーを回転動力にかえ発電へと転化する、しかも円形物を燃料や電気、水、風等使わず自力にて高速回転させる事は可能である、すでに開発した伸縮ゴム筒ピストン運動を活用する事である、もともと水平物に対して伸時の打込みに真価を発揮するが円形物に対してもほんの少し技術改良をする事で十分にその回転力の促進効果をもたらす、ほんの少し打込時、外へ逃げるあそびをもうけた、こうする事で縮時にて円形物への接触が無くなり少し深めに打込める、結果、改良前円形物に対しての打ち込みが点や線での打込みが面へと変わる事になり丁度物を指で押すか手のひらで押すかの違いがでる、これによりどんな円形重量物、大径物でも高速回転が可能となった。【０００５】  次にその回転をいかに継続性、恒久性を持たせるかであるがこれは以外に簡単に実現できる、磁力の同極対峠の反発力を利用すればよい、本体円径物の外周に磁力帯を設け同様に外の適位置に小径の円径物を配し本体より高速にて反回転させればよい、この技術構築はファンベルト、プーリー、歯車の活用にて簡単に出きる、当然小径円径物の方がより、高速回転となる、考えて見ればリニアモーターカー等もその簡単な原理面でいえば磁力の反発力を継続的に活用して車輌の一定方向への推進力を持たせる事であり誘導電動機の界磁と電機子とを車両と軌道とに分け同電動機の回転子と固定子を回転軸を含む面で切り開き、（地下鉄車輌等にも応用）回転軸に直角の方向に延べ切り開いた固定子をつぎつぎに並べて線路とし回転子は電車の車体に取り付ける、したがって回転子の方に交流電流を流すと、固定子に誘導電流が流れ磁界の相互作用が起り車両の高速推進力がもたらされるのだが、この実用化には膨大な敷地、費用、労働力、人材、期間を有する、したがって実用、運用化にあたり、たしかに移動においての時間短縮による経済効果は生まれると思うが一部のビシネス界、産業界、旅行業界等、限定的になるのでは思う、なぜなら投下資本から見てその利用料がかなりの高額になると思われ、逆に高度な技術開発、技術構築を必要としなくとも又、自然科学に則した初歩的な技術構築であっても世界レベル、世界人民、特に電気、光を切望する人々にとって速やかな実用化、供与が必要である、我々先進国に生活する者にわ十分な理解等出きないだろうが世界においてはいまだ日に何万という子供を中心に食料難、劣悪な衛生面、医療面にて死に到たっている、リニアモーターカー等と違い場所をえらばづ設置も簡単でコスト、人材等少なくてすむ当開発品の実用化、普及はそうした地域、人々にもその後の環境整備においても十分寄与するもので、なにより環境に優しい為その後の世界レベルでの原発ゼロ化にもつながっていくものと思う。【０００６】  当初は円形物の回転の継続性に円形物内部での重心移動を求めた、磁石の同極対峠にて、ただ直ぐにこの技術構築が無理である事が判明した、回転物はその回転行為によりその外周部に遠心力が働き又、中心に向う向心力とのバランスにより成り立つ為円形物自体均等化が必須である、その結果外部に求めた、元々円形物の軸点を固定せず自由回転を行なえば、外周部が重い程その慣性力が増加する為その回転行為をより続けようとする、逆に軽ければその係数はさがる、そうしていづれ停止へと向かう、これは重力、軸点の摩擦係数等によるものだが、それらが無ければ回り続ける、宇由に於いて与えた一定の速度にて回周しつづける事でも理解できる事案であろう、地上にての回転運動は上から下へ向う時は正重力行為に付回転をより続けようとし逆に下からのそれは反重力行為に付回転係数を減じようとする事になりいずれ回転行為は停止へと向かう、したがって減じられる回転係数以上の補助行為を与えれば回転物は回り続ける事になり水のいらない水車が生まれる事になる。
【発明の効果】
【０００７】  こうした背景から山頂、離島を問わず簡単に設置が出き、インフラ整備の進まない世界各所のピンポイント配置が可能であり地域の発展、生活向上、世界の恵まれない子供達の教育、向学心への向上につながるだけでなく先進国に於いても大震災等にて送電がストップしても発電が続けられ、個人宅はもとより、自家発電装備のない小さな医療機関にても活用が見込める為、人命救助にもつながる。
【発明を実施するための最良の方法】
【０００８】  伸縮ゴム筒の技術改良だが筒底部に台座を設け二分割にして円形物側にスプリングを取り付ける、反対部にあそび調整用の木材等を取り付け微妙なあそびを作り出した、結果円形物への打ち込み効果が十分得る事が出来た、この効果の対比実験は関係者のタイヤ店にて行った、軽、小型乗用タイプ、４トン、１０トン、２０トン超にて、従来型、改良型にて、従来型でも軽、小型にては大きな差が出ないがトラック型になると差が出てきた、特にトレーラー等タイヤにてわ到達時間にても、回転の高速性にても、もちろん接触部のゴム筒を多少のＲ形状にする等工夫した、又、円形物の同極対峠の実験は３０ＭＭ厚の木材の円形材にて外周に１０．１ＭＭにて二列の分離した溝を設け（１０ＭＭ）入手が手軽な３０００ガウス１０ＭＭ×
2016217339.tif 000003
が特注品より費用が少ない、その外周にゴム帯を配した、摩擦
2016217339.tif 000004
した、この実験結果で得た回転力の継続性は、外部の回転力が本体より早い程その継続効果が大きく逆に遅いとその回転力が減じられ同一回転にても徐々にでわるが弱まっていく事も詔知できた、又、中心軸を固定しないでの回転行為にては円型物を２分割して一方に外周重量物、他方の中間に重力物を配した時回転運動が起こらない事も判明した、ただこれわ一体円形物に対する運動法則だが分離型（プロペラ、羽根）円形物にては研究の余地がある。
【産業上の利用分野】
【０００９】  こうした技術背景から伸縮ゴム筒の活用法としてわ先進国にてわ自動車、鉄道、空輸等にて確立された物流も世界各所にてはいまだ人力、荷車にての物流の移動が行なわている、技術改良による当ゴム筒にて荷車、リヤカー等の原動機としての活用も見込まれ生活環境の改善につながり実生活においてのアメニティーにもなる、又、すべての車輌係の歩行延長効果にも活用できる可能性を有する。
【図面の簡単な説明】
【００１０】
【図１】伸縮ゴム筒の改良後の台座部の断面図
【図２】大、小円形物の概略図
【符号の説明】
【００１１】１  円形物本体  ２  外部小径円形物  ３  磁力帯  ４  ゴム帯  ５  軸心  ６  ゴム筒部  ７  空気口  ８  台座部  ９  スプリング  １０  調整材
【図１】
2016217339.tif 000006
【図２】
2016217339.tif 000007